(57)【要約】  ビデオセグメントは、ディスプレイ輝度を制御してそれぞれのセグメントディスプレイの間に、電力消費を低減するために使用されることができるディスプレイ調整情報が内蔵されたＳＥＩ（supplemental enhancement information）メッセージや拡張されたＮＡＬＵ（network abstraction layer unit）ヘッダーがあるペイロードユニット別に伝送される。ディスプレイ調整情報は、ピクセル輝度をスケーリングし、それによって液晶ディスプレイ用バックライティングを低減するか、ＯＬＥＤディスプレイのための供給電圧を調整するために使用されることができる最大ピクセル輝度を少なくとも含む。ｍピクセル輝度がビューアーに対する認知的損失なしにピクセルヒストグラムの一部を飽和させるレベルにセッティングされることによって、電力消費が追加減少される。
2015520865.tif 000002
【特許請求の範囲】
【請求項１】
ビデオセグメントのデータを受信するステップと、前記受信されたデータは、認知的損失なしにディスプレイピクセルの一部を飽和させながらディスプレイの明るさ及び電力消費に影響を及ぼす１つ以上のディスプレイパラメータを調整するためのディスプレイ調整情報を含み、
前記ビデオセグメントのディスプレイの間に、拡張されたヘッダーからの前記ディスプレイ調整情報に基づいてディスプレイのための少なくとも１つのディスプレイパラメータを調整するステップと、を含むこと
を特徴とする方法。
【請求項２】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項１に記載の方法。
【請求項３】
バックライティングされる液晶ディスプレイ（ＬＣＤ）上での前記ビデオセグメントのディスプレイの間に、前記ディスプレイ調整情報から前記最大ピクセル輝度値に基づいてピクセルのピクセル輝度及びバックライティング輝度をスケーリングするステップをさらに含むことを特徴とする請求項２に記載の方法。
【請求項４】
前記バックライティングされたＬＣＤ上での前記ビデオセグメントのディスプレイの間に、前記ディスプレイ調整情報から前記最大ピクセル輝度値及び最小ピクセル輝度値に基づいて前記ピクセル輝度及びバックライティング輝度をスケーリングするステップをさらに含むことを特徴とする請求項３に記載の方法。
【請求項５】
前記ＬＣＤ上での前記ビデオセグメントのディスプレイの間に、前記ディスプレイ調整情報から前記最大ピクセル輝度値、前記最小ピクセル輝度値、及びピクセルヒストグラムステップサイズ値に基づいて前記ピクセル輝度及びバックライティング輝度をスケーリングするステップをさらに含むことを特徴とする請求項４に記載の方法。
【請求項６】
有機発光ダイオード（ＯＬＥＤ）ディスプレイ上での前記ビデオセグメントのディスプレイの間に、前記ディスプレイ調整情報から前記最大ピクセル輝度値に基づいてピクセルのピクセル輝度及び供給電圧をスケーリングするステップをさらに含むことを特徴とする請求項２に記載の方法。
【請求項７】
ビデオセグメントのデータを受信するように構成された受信器と、前記受信されたデータは、認知的損失なしにディスプレイピクセルの一部を飽和させながらディスプレイの明るさ及び電力消費に影響を及ぼす１つ以上のディスプレイパラメータを調整するためのディスプレイ調整情報を含み、
前記ビデオセグメントのディスプレイの間に、拡張されたヘッダーからの前記ディスプレイ調整情報に基づいてディスプレイのための少なくとも１つのディスプレイパラメータを調整するように構成されたプロセッサと、を含むこと
を特徴とするシステム。
【請求項８】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項７に記載のシステム。
【請求項９】
前記プロセッサは、
バックライティングされる液晶ディスプレイ（ＬＣＤ）上での前記ビデオセグメントのディスプレイの間に、前記ディスプレイ調整情報から前記最大ピクセル輝度値に基づいてピクセルのピクセル輝度及びバックライティング輝度をスケーリングするように構成されること
を特徴とする請求項８に記載のシステム。
【請求項１０】
前記プロセッサは、
前記バックライティングされたＬＣＤ上での前記ビデオセグメントのディスプレイの間に、前記ディスプレイ調整情報から前記最大ピクセル輝度値及び最小ピクセル輝度値に基づいて前記ピクセル輝度及びバックライティング輝度をスケーリングするように構成されること
を特徴とする請求項９に記載のシステム。
【請求項１１】
前記プロセッサは、
前記バックライティングされたＬＣＤ上での前記ビデオセグメントのディスプレイの間に、前記ディスプレイ調整情報から前記最大ピクセル輝度値、前記最小ピクセル輝度値、及びピクセルヒストグラムステップサイズ値に基づいて前記ピクセル輝度及びバックライティング輝度をスケーリングするように構成されること
を特徴とする請求項１０に記載のシステム。
【請求項１２】
前記プロセッサは、
有機発光ダイオード（ＯＬＥＤ）ディスプレイ上での前記ビデオセグメントのディスプレイの間に、前記ディスプレイ調整情報から前記最大ピクセル輝度値に基づいてピクセルのピクセル輝度及び供給電圧をスケーリングするように構成されること
を特徴とする請求項８に記載のシステム。
【請求項１３】
請求項７に記載のシステムを含むモバイル通信装置であって、
前記システムは、基地局から無線通信を通じて前記ビデオセグメントのデータを受信するように構成されること
を特徴とするモバイル通信装置。
【請求項１４】
請求項７に記載のシステムを含むタブレットであって、
前記システムは、ネットワークから無線通信を通じて前記ビデオセグメントのデータを受信するように構成されること
を特徴とするタブレット。
【請求項１５】
伝送するビデオセグメントのデータをフォーマットするステップを含み、前記フォーマットされたデータは、
認知的損失なしにディスプレイピクセルの一部を飽和させながらディスプレイの輝度及び電力消費に影響を及ぼす１つ以上のディスプレイパラメータを調整するためのディスプレイ調整情報、及び
前記ビデオセグメントをディスプレイするためのデータを含む１つ以上のペイロードユニットを含むこと
を特徴とする方法。
【請求項１６】
伝送するビデオセグメントのデータをフォーマットするように構成されたビデオサーバを含み、前記フォーマットされたデータは、
認知的損失なしにディスプレイピクセルの一部を飽和させながらディスプレイの明るさ及び電力消費に影響を及ぼす１つ以上のディスプレイパラメータを調整するためのディスプレイ調整情報、及び
前記ビデオセグメントをディスプレイするためのデータを含む１つ以上のペイロードユニットを含むこと
を特徴とするシステム。
【請求項１７】
伝送するビデオセグメントのデータを受信するステップと、前記データは、認知的損失なしにディスプレイピクセルの一部を飽和させながらディスプレイの明るさ及び電力消費に影響を及ぼす１つ以上のディスプレイパラメータを調整するためのディスプレイ調整情報、及び前記ビデオセグメントをディスプレイするためのデータを含む１つ以上のペイロードユニットを含み、
前記ビデオセグメントがディスプレイされるべき装置に前記データを伝送するステップと
を含むことを特徴とする方法。
【請求項１８】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項１に記載の方法、請求項７に記載のシステム、請求項１５に記載の方法、請求項１６に記載のシステム、又は請求項１７に記載の方法。
【請求項１９】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項１に記載の方法、請求項７に記載のシステム、請求項１５に記載の方法、請求項１６に記載のシステム、又は請求項１７に記載の方法。
【発明の詳細な説明】
【技術分野】
【０００１】
本発明は、無線モバイル通信装置のエネルギー消費減少に関し、特に、無線通信装置上にディスプレイされるビデオコンテンツに対するコンテンツベースディスプレイ調整制御に関する。
【背景技術】
【０００２】
最近では、モバイル装置上のディスプレイ解像度は、７２０ｐ又はそれ以上のスーパ液晶ディスプレイ（liquid crystal display：ＬＣＤ）又は有機発光ダイオード（organic light emitting diode：ＯＬＥＤ）ディスプレイがスマートフォン及びタブレットの主流となるか又は主流となる程まで大きく向上した。しかしながら、そのような高いディスプレイ解像度は、レンダリングするために、特に、高周波数フレームバッファリング及びディスプレイパネルリフレッシュが必須であるビデオに対しては、より多くのエネルギーを必要とする。
【０００３】
ＬＣＤディスプレイの場合に、電力消費は、バックライティング輝度レベルの単調関数であり、ＯＬＥＤディスプレイの場合に、電力消費は、供給電圧及びディスプレイコンテンツ自体によって制御される。明るさの制御は、すでに一部のモバイル装置上で具現され、そのような制御は、通常、新たな仕事を付与する前に、すなわち、ビデオの再生開始の前に適応されなければならない。例えば、明るさは、ビデオを視聴する前に１００％、５０％、又は２５％に設定されることができるが、ビデオ再生を妨害しなければ動的に変更されることができない。また、電力消費がＯＬＥＤに対する供給電圧及び入力イメージにより決定されるので、現在の具現例は、電圧を調整するメカニズムを提供していない。
【発明の概要】
【発明が解決しようとする課題】
【０００４】
したがって、この技術分野では、ＬＣＤディスプレイバックライティング輝度又はＯＬＥＤ供給電圧がディスプレイされるコンテンツに従って調整されることができるようにしてディスプレイエネルギーを大きく節減することによりモバイル装置ディスプレイを改善する必要がある。
【課題を解決するための手段】
【０００５】
本発明は、ビデオセグメントのデータを受信するステップと、上記受信されたデータが、認知的損失なしにディスプレイピクセルの一部を飽和させながらディスプレイの明るさ及び電力消費に影響を及ぼす１つ以上のディスプレイパラメータを調整するためのディスプレイ調整情報を含み、上記ビデオセグメントのディスプレイの間に、拡張されたヘッダーからの上記ディスプレイ調整情報に基づいてディスプレイのための少なくとも１つのディスプレイパラメータを調整するステップと、を含む方法を提供する。
【０００６】
本発明は、ビデオセグメントのデータを受信するように構成された受信器と、上記受信されたデータが、認知的損失なしにディスプレイピクセルの一部を飽和させながらディスプレイの明るさ及び電力消費に影響を及ぼす１つ以上のディスプレイパラメータを調整するためのディスプレイ調整情報を含み、上記ビデオセグメントのディスプレイの間に、拡張されたヘッダーからの上記ディスプレイ調整情報に基づいてディスプレイのための少なくとも１つのディスプレイパラメータを調整するように構成されたプロセッサとを含むシステムを提供する。
【０００７】
本発明は、伝送するビデオセグメントのデータをフォーマットするステップを含み、上記フォーマットされたデータが、認知的損失なしにディスプレイピクセルの一部を飽和させながらディスプレイの明るさ及び電力消費に影響を及ぼす１つ以上のディスプレイパラメータを調整するためのディスプレイ調整情報、及び上記ビデオセグメントをディスプレイするためのデータを含む１つ以上のペイロードユニットを含む方法を提供する。
【０００８】
本発明は、伝送するビデオセグメントのデータをフォーマットするように構成されたビデオサーバを含み、上記フォーマットされたデータが、認知的損失なしにディスプレイピクセルの一部を飽和させながらディスプレイの明るさ及び電力消費に影響を及ぼす１つ以上のディスプレイパラメータを調整するためのディスプレイ調整情報、及び上記ビデオセグメントをディスプレイするためのデータを含む１つ以上のペイロードユニットを含むシステムを提供する。
【０００９】
本発明は、伝送するビデオセグメントのデータを受信するステップと、上記データが、認知的損失なしにディスプレイピクセルの一部を飽和させながらディスプレイの明るさ及び電力消費に影響を及ぼす１つ以上のディスプレイパラメータを調整するためのディスプレイ調整情報、及び上記ビデオセグメントをディスプレイするためのデータを含む１つ以上のペイロードユニットを含み、上記ビデオセグメントがディスプレイされるべき装置に上記データを伝送するステップとを含む方法を提供する。
【図面の簡単な説明】
【００１０】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【図１Ａ】本発明の１つ以上の実施形態によって内部の装置が動的コンテンツベースディスプレイ電力低減を実現できるようにするネットワークを示すハイレベル図である。
【図１Ｂ】本発明の一実施形態によって動的コンテンツベースディスプレイ電力低減が具現され得る図１Ａのネットワークからの無線装置の前面図である。
【図１Ｃ】図１Ｂに示す無線装置の機能的構成要素に対するハイレベルブロック図である。
【図２】本発明の一実施形態による動的コンテンツベースディスプレイ電力低減のために使用されるディスプレイ調整情報が内蔵され得るＮＡＬＵヘッダーを例示した図である。
【図３Ａ】本発明の一実施形態による動的コンテンツベースディスプレイ電力低減のために拡張されたＮＡＬＵヘッダー又はＳＥＩメッセージ内に内蔵されるディスプレイ調整情報を使用して明るさを維持する認知的無損失飽和ディスプレイ調整を示す図である。
【図３Ｂ】本発明の一実施形態による動的コンテンツベースディスプレイ電力低減のために拡張されたＮＡＬＵヘッダー又はＳＥＩメッセージ内に内蔵されるディスプレイ調整情報を使用して明るさを維持する認知的無損失飽和ディスプレイ調整を示す図である。
【図３Ｃ】本発明の一実施形態による動的コンテンツベースディスプレイ電力低減のために拡張されたＮＡＬＵヘッダー又はＳＥＩメッセージ内に内蔵されるディスプレイ調整情報を使用して明るさを維持する認知的無損失飽和ディスプレイ調整を示す図である。
【図４】本発明の一実施形態による動的コンテンツベースの認知的無損失飽和ディスプレイ調整及び該当電力低減を例示した複数のディスプレイフレームである。
【図５Ａ】本発明の一実施形態による動的、コンテンツベース、認知的無損失、飽和したディスプレイ調整、及び対応する電力低減のためのビデオデータビットストリーム内の拡張されたＮＡＬＵヘッダー又はＳＥＩメッセージ挿入を示す図である。
【図５Ｂ】本発明の一実施形態による動的、コンテンツベース、認知的無損失、飽和したディスプレイ調整、及び対応する電力低減のためのビデオデータビットストリーム内の拡張されたＮＡＬＵヘッダー又はＳＥＩメッセージ挿入を示す図である。
【図５Ｃ】本発明の一実施形態による動的、コンテンツベース、認知的無損失、飽和したディスプレイ調整、及び対応する電力低減のためのビデオデータビットストリーム内の拡張されたＮＡＬＵヘッダー又はＳＥＩメッセージ挿入を示す図である。
【図５Ｄ】本発明の一実施形態による動的、コンテンツベース、認知的無損失、飽和したディスプレイ調整、及び対応する電力低減のためのビデオデータビットストリーム内の拡張されたＮＡＬＵヘッダー又はＳＥＩメッセージ挿入を示す図である。
【図６】本発明の一実施形態による動的、コンテンツベース、認知的無損失、飽和したディスプレイ調整、及び対応する電力低減のためのビデオデータビットストリーム内の拡張されたＮＡＬＵヘッダー又はＳＥＩメッセージ挿入を用いてビデオをエンコーディングするプロセスのハイレベルフロー図である。
【図７】本発明の一実施形態による動的、コンテンツベース、認知的無損失、飽和したディスプレイ調整、及び対応する電力低減のために挿入される拡張されたＮＡＬＵヘッダー又はＳＥＩメッセージに基づくビデオデコーディング及びディスプレイのプロセスのハイレベルフロー図である。
【発明を実施するための形態】
【００１１】
ビデオセグメントは、ディスプレイの明るさを制御してそれぞれのセグメントディスプレイの間に電力消費を低減するために使用され得るディスプレイ調整情報が内蔵された補足エンハンスメント情報（supplemental enhancement information：ＳＥＩ）メッセージ又は拡張されたネットワーク抽象化レイヤーユニット（network abstraction layer unit：ＮＡＬＵ）ヘッダーがあるペイロードユニット別に送信される。ディスプレイ調整情報は、ピクセル輝度をスケーリングし、それによって液晶ディスプレイ用バックライティングを低減させるか、ＯＬＥＤディスプレイのための供給電圧を調整するために使用され得る最大ピクセル輝度を少なくとも含む。最大ピクセル輝度がビューアーに対する認知的損失なしにピクセルヒストグラムの一部を飽和させるレベルにセッティングされることによって、電力消費が追加減少される。
【００１２】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives  thereof）は、限定ではなく、含みを意味する。“又は（or）”という用語は、“及び／又は（and/or）”の意味を包括する。“関連した（associated  with）”及び“それと関連した（associated  therewith）”という語句だけではなく、その派生語句は、“含む（include）”、“含まれる（be  included  within）”、“相互に連結する（interconnect  with）”、“包含する（contain）”、“包含される（be  contained  within）”、“連結する（connect  to  or  with）”、“結合する（couple  to  or  with）”、“疎通する（be  communicable  with）”、“協力する（cooperate  with）”、“相互配置する（interleave）”、“並置する（juxtapose）”、“近接する（be  proximate  to）”、“接する（be  bound  to  or  with）”、“有する（have）”、及び“特性を有する（have  a  property  of）”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。特定の制御器に関連する機能は、集中しているか、あるいは近距離、または遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１３】
以下に論議される図１乃至図７及びこの特許文書の本発明の原理を記述するのに使用される多様な実施形態は、例示にすぎないもので、どんな方法でも本発明の範囲を限定するものと解釈されてはならない。当業者は、本発明の原理が適切に構成された無線通信システムで具現され得るということが分かる。
【００１４】
ディスプレイ調整のために使用されるメタデータが拡張されたＮＡＬＵ（network abstraction layer unit）ヘッダーとしてビデオストリーム内に内蔵され得る。
【００１５】
本発明では、ディスプレイ電力低減を助けるためにデコーダでパーシングされる拡張されたＮＡＬＵヘッダーやＳＥＩ（supplemental enhancement information）メッセージを用いてディスプレイ調整（display adaptation）がビデオコンテンツ情報内に内蔵される。ＬＣＤディスプレイの場合、ディスプレイの明るさが調整され、ＯＬＥＤディスプレイの場合、ディスプレイ供給電圧が調整される。このような拡張されたＮＡＬＵヘッダーやＳＥＩメッセージ内の要素は、ビデオエンコーディングの中にエンコーダから導出されることができる。
【００１６】
ディスプレイ調整は、基本アプリケーション及びハードウェア能力によって、ストリーム内にフレーム別に、又はＧＯＰ（group of pictures）内にＧＯＰシーン別に、または時間インターバル別にも挿入され得るＮＡＬＵヘッダーやＳＥＩメッセージを許可することによって定義される。フレームレベル解決法と比べると、ＧＯＰ、シーン又は時間インターバルベース処理方式は、メッセージ挿入に、より少ないオーバーヘッドを要する。高周波ディスプレイ調整、例えば３０Ｈｚビデオに対する毎３３ｍｓをサポートできないプロセッサの場合、ＧＯＰ、シーン又は時間インターバルベース方式がフレームベース解決法より良好である。それにも関わらず、この明細書では基本的にフレームレベル解決法を使用して概念が説明される。
【００１７】
図１Ａは、本発明の１つ以上の実施形態によって内部の装置が動的コンテンツベースディスプレイ調整及び対応する電力低減を実現できるようにするネットワークを示すハイレベル図である。ネットワーク１００は、既存手順、しかしながら、以下でより詳細に記述されるように、ＮＡＬＵヘッダー（ら）内に内蔵されるディスプレイ調整情報によってビデオコンテンツをエンコーディングするように構成されたエンコーダ制御器を含むコンテンツエンコーダデータプロセシングシステム１０１を含む。コンテンツエンコーダ１０１は、ビデオコンテンツをユーザ装置に伝達するコンテンツサーバデータプロセシングシステム１０２と通信可能に結合（又は、それとは異なり、併合）される。コンテンツサーバ１０２は、ユーザデバイス（ＵＥ）又はモバイルステーション（ＭＳ）と呼ばれるユーザ装置１０５へのビデオコンテンツ伝送のためにインターネット１０３のような通信ネットワーク及び基地局（ＢＳ）１０４を含む無線通信システムによって接続される。上述したように、ユーザ装置１０５は、無線音声通信他に少なくともビデオコンテンツ再生を含む機能が可能な“スマート”フォン又はタブレット装置であり得る。これとは異なり、ユーザ装置１０５は、ＬＣＤやＯＬＥＤディスプレイを有し、少なくとも一般的な動作期間中に基本的にバッテリーから電力を受ける所定の装置のように、ビデオ再生の中に動的コンテンツベースディスプレイ電力低減から利益を得るラップトップコンピュータやその他無線装置であり得る。
【００１８】
図１Ｂは、本発明の一実施形態によって動的コンテンツベースディスプレイ調整及び対応する電力低減が具現され得るネットワークからの無線装置の前面図であり、図１Ｂは、その無線装置の機能的構成要素のハイレベルブロック図である。ユーザ装置１０５はモバイル電話であり、バックライティングされるＬＣＤ（図１Ｂに示す選択的輝度光源を含む）やＯＬＥＤディスプレイ１０６を含む。ディスプレイ１０６と結合されたプロセッサ１０７は、ディスプレイ上にディスプレイされるコンテンツを制御する。ユーザ装置１０５内のプロセッサ１０７及び他の構成要素は、外部電源（図示せず）により充電されるか、または外部電源により電力を受けることができるバッテリー（図示せず）により電力の供給を受ける。プロセッサ１０７と結合されたメモリ１０８は、プロセッサ１０７により再生されディスプレイ１０６上にディスプレイされるビデオコンテンツを保存するかバッファリングすることができ、そのようなビデオ再生を実行するためのビデオ再生アプリケーション（又は“アプリ”）１０９を保存することもできる。再生されるビデオコンテンツは、ビデオコンテンツの再生と同時発生的（例えば、時間上で重複して）又は再生の先に、アンテナ１１１に接続された送受信器１１０を通して受信されることができる。上述したように、ビデオコンテンツは、基地局１０４からの無線通信を通じて受信されることができる。例示的な実施形態で、モバイル装置１０５により内部再生及びディスプレイ１０６上のディスプレイのために受信されるビデオコンテンツは、ＮＡＬＵヘッダー（ら）又はＳＥＩメッセージ（ら）内に内蔵されるディスプレイ調整情報を含む。ディスプレイ調整情報が選択的輝度光源及びディスプレイ１０６に対するディスプレイコントロール１１２をセッティングするためにプロセッサ１０７により使用される。
【００１９】
図２は、本発明の一実施形態による動的コンテンツベースディスプレイ調整及び対応する電力低減のために使用されるディスプレイ調整情報が内蔵され得るＮＡＬＵヘッダーを例示した図である。通常、データビットストリーム２００内のＮＡＬＵ２０１、２０２は、ＮＡＬＵヘッダー２０３及びペイロード２０４を含む２パートで構成される。ＮＡＬＵヘッダー２０３は、適切なデコーディング動作のためにデコーダでパーシングされる。例えば、ＮＡＬＵヘッダー２０３が現在のＮＡＬＵ２０１がシーケンスパラメータセット（ＳＰＳ）であることを示す場合、ＳＰＳパーシング及び初期化が代案的にアクティブされ、ＮＡＬＵ２０３ヘッダーが現在のＮＡＬＵ２０２がスライスＮＡＬＵであることを示す場合、スライスデコーディングが開始される。
【００２０】
Ｈ.２６４高度ビデオ符号化（ＡＶＣ、“ＭＰＥＧ−４”（Motion Picture Experts Group 4）パート１０とも称する）及びその拡張例で、それぞれのＮＡＬＵ２１０、２０２はバイト整列される。ＮＡＬＵヘッダー２０２は、ＮＡＬＵが普通の単一レイヤーパケットであるか、スケーリング可能（scalable）パケットであるか否かによって１バイト又は４バイトとなる。以下の＜表１＞に示すように、ＮＡＬＵヘッダーの現在定義は、ディスプレイ調整関連情報の内蔵をサポートするために拡張を通じて修正される。＜表１＞は、Ｈ.２６４／ＡＶＣ及びその拡張（＜表１＞の斜体で表した修正事項）に対して拡張されたＮＡＬＵシンタックス及び該当パーシングプロセスを示す。
【００２１】
【表１】
2015520865.tif 000003
【００２２】
以下でより詳細に記述されるような飽和目的のために許容可能歪み(“distortion_percentage”)が使用される。
【００２３】
図２に例示されたように、普通の１バイトＮＡＬＵヘッダーは１ビットのｆｏｒｂｉｄｄｅｎ_ｚｅｒｏ_ｂｉｔ（常に０）、それぞれのＮＡＬＵが参照されるか否かを示す３ビットのｎａｌ_ｒｅｆ_ｉｄｃフィールド、およびＮＡＬユニットペイロードの正確なタイプを示す５ビットのｎａｌ_ｕｎｉｔ_ｔｙｐｅを含む。ｎａｌ_ｕｎｉｔ_ｔｙｐｅが１４や２０に該当すると、Ｈ．２６４のスケーリング可能ビデオに必要な情報を導出するために、余分の３バイトがパーシングされる。
【００２４】
Ｈ.２６４／ＡＶＣは、適切なパーシング及びデコーディングのために、２４から３１までの値が予め不特定状態にある多様なｎａｌ_ｕｎｉｔ_ｔｙｐｅ値を定義する。ディスプレイ調整関連情報を示す新たなｎａｌ_ｕｎｉｔ_ｔｙｐｅ＝２５が導入される。（ｎａｌ_ｕｎｉｔ_ｔｙｐｅ＝２５という選択は例示のためのものであり、＜表２＞の“不特定”ｎａｌ_ｕｎｉｔ_ｔｙｐｅ値のうちいずれか一つがその代わりに使用されることができる）。ｎａｌ_ｕｎｉｔ_ｔｙｐｅ＝２５であると、ディスプレイ調整関連データ及び構造をパーシング及び初期化するために命令語ｄｉｓｐｌａｙ_ａｄａｐｔａｔｉｏｎ（）が使用される。このようなｎａｌ_ｕｎｉｔ_ｔｙｐｅと会う度に、デコーダはそれぞれのＮＡＬＵヘッダーをパーシングし、フレームレベル、ＧＯＰレベル、シーンレベルまたは時間インターバルレベル調整を実行する。＜表２＞は、Ｈ．２６４／ＡＶＣでの拡張されたｎａｌ_ｕｎｉｔ_ｔｙｐｅ定義を示す（＜表２＞で斜体で表した修正事項)。
【００２５】
【表２】
2015520865.tif 000004
2015520865.tif 000005
2015520865.tif 000006
【００２６】
ビデオコーディングレイヤー（ＶＣＬ）ＮＡＬＵは、シーケンスパラメータ集合、ピクチャーパラメータ集合、ＳＥＩ（Supplemental Enhancement Information）などがＮＡＬＵを通して提供されることができるようにビデオデータ、スライスレイヤー又は以下の非ＶＣＬ情報で構成される。
【００２７】
上述した拡張ＮＡＬＵヘッダー（ら）の代わりに、以下でより詳細に記述されるようにＳＥＩメッセージ（ら）がペイロードビットストリーム内に挿入されることができる。ｐａｙｌｏａｄＴｙｐｅ＝４７を有した新たなＳＥＩメッセージは、以下の＜表３＞に示したようである。（ｐａｙｌｏａｄＴｙｐｅ＝４７という選択は、この例で例示のためのものであり、不特定ｐａｙｌｏａｄＴｙｐｅ値がその代わりに使用されることもできる）。ビットストリームでＳＥＩメッセージと会う度に、デコーダはそのＳＥＩメッセージをパーシングし、＜表３＞に定義されたようにフレームレベル、ＧＯＰレベル、シーンレベル又は時間インターバルレベルディスプレイ調整を実行する。
【００２８】
ＳＥＩメッセージの現在定義は、ディスプレイ調整関連情報の内蔵をサポートするために拡張を通じて修正される。＜表３＞は、Ｈ.２６４／ＡＶＣ及びその拡張（＜表３＞の斜体で表した修正事項）に対して拡張されたＳＥＩメッセージを示す。
【００２９】
【表３】
2015520865.tif 000007
【００３０】
＜表３＞は、Ｈ.２６４／ＡＶＣでのディスプレイ調整ＳＥＩメッセージがシンタックスを示す（＜表４＞で斜体で表した修正事項）。
【００３１】
【表４】
2015520865.tif 000008
【００３２】
＜表１＞から＜表４＞を通して自明であるように、以下の３種類の相互に異なるタイプのディスプレイ調整（“display_scaling_method”）が考察される：ピクセルの明るさを維持するディスプレイ調整（“BRIGHTNESS_PRESERVED”）；コントラストを維持するディスプレイ調整（“CONTRAST_PRESERVED”）；及び認知的無損失ディスプレイ調整（“PERCEPTUAL_LOSSLESS”）。明るさを維持するディスプレイ調整は、パラメータとして１つの値−それぞれのＮＡＬＵヘッダーとともにエンコーディングされる再構成されたフレームのためのピクセル輝度値内で最大ピクセル輝度値（“max_pixel_value”）−を取る。コントラストを維持するディスプレイ調整は、再構成されたフレームに対するピクセル輝度値のヒストグラム内で最大ピクセル輝度値及び最小ピクセル輝度値（“max_pixel_value”）の両方をパラメータとして取る。明るさ及びコントラストの両方すべてを維持する認知的無損失ディスプレイ調整は、三個のパラメータであるヒストグラム内の最大及び最小ピクセル輝度値（“max_pixel_value”）及びヒストグラム生成時に使用されたピクセル輝度値のステップサイズ(“pixel_hist_stepsize”）を取る。
【００３３】
ＩＴＵ ＶＣＥＧ及びＩＳＯ（International Standards Organization）／ＩＥＣ（International Electro-technical Commission）ＭＰＥＧ（Motion Pictures Expert Group）ＪＣＴ−ＶＣ（Joint Collaborative Teamon Video Coding）標準Ｈ.２６５ＨＶＥＣ（High Efficiency Video Coding）で、バイトストリームフレームワークは同一に維持されるが（すなわち、ＮＡＬユニットが使用されるが）、ＮＡＬユニットヘッダーはより長く（Ｈ.２６４と互換性がなく）、新たなＮＡＬユニットタイプが導入され、いくつかのタイプナンバー変更がなされて、変更されたＮＡＬＵペイロードシンタックスが使用される（それもＨ.２６４に符合されない）。しかしながら、ＳＥＩ及びビデオ使用性情報（ＶＵＩ）メタデータの両方は許可される。したがって、そのような差異にも関わらず、当業者は上述した技法がＨＶＥＣストリームとの使用のためにどのように容易に調整されることかが分かる。
【００３４】
図３Ａ乃至図３Ｃは、本発明の一実施形態による動的コンテンツベースディスプレイ調整及び対応する電力減少のために拡張されたＮＡＬＵヘッダーやＳＥＩメッセージ内に内蔵されるディスプレイ調整情報を使用して明るさを維持するディスプレイ調整を例示する。すべてのフレームごとに、上述したように拡張されたＮＡＬユニットヘッダーやＳＥＩメッセージ内に内蔵される最大ピクセル値が現在の再構成フレームを拡張（scale up）するために活用される。それとは異なり、最大ピクセル値が次のような一般処理ユニット（ＧＰＵ）／中央処理ユニット（ＣＰＵ）又は特定用途向け集積回路（application specific integrated circuit；ＡＳＩＣ）チップを使用して実現されるオンラインフレーム分析関数を用いて導出されることもできる。
【００３５】
【数１】
2015520865.tif 000009
【００３６】
ＢＩＴ_ＤＥＰＴＨは、ビデオビット深さ、通常ＢＩＴ_ＤＥＰＴＨ＝８である。一方、ｂｎｅｗ＝ｂ／［η］又はＶｎｅｗ＝Ｖ／［η］でより低い明るさのバックライトや供給電圧がエネルギーの純減少のために使用されることができる。
【００３７】
すべてのフレームをデコーディングする前に、現在の再構成フレームを２５５／ｍａｘ_ｐｉｘｅｌ_ｖａｌｕｅ）だけ拡張するために使用される最大ピクセル値を抽出するために拡張されたＮＡＬＵやＳＥＩメッセージがパーシングされる。ｐ（ｉ）が図３Ａに示したように、再構成されたフレームのためのピクセル輝度のヒストグラム内のｉ番目のピクセル値（ラスター走査順序に）の元来の明るさを示すとすれば、図３Ｂに示すスケーリングされたフレームヒストグラム内の該当ピクセルに対してスケーリングされたピクセル輝度ｐｎｅｗ（ｉ）は（８ビットピクセル輝度値において）次式のようである。
【００３８】
【数２】
2015520865.tif 000010
【００３９】
ここで、Ｙ＝（２５５／ｍａｘ_ｐｉｘｅｌ_ｖａｌｕｅ）であり、ｍａｘ_ｐｉｘｅｌ_ｖａｌｕｅは、上述したように拡張されたＮＡＬＵヘッダーで特定されたパラメータである。図３Ａ及び図３Ｂの比較から自明であるように、ヒストグラムは線形スケーリングを通じて移動する。
【００４０】
一方、ピクセル輝度の増加を通じて、より低い明るさのバックライティング（ＬＣＤディスプレイ用）や低供給電圧（ＯＬＥＤディスプレイ用）がエネルギーの純減少のために使用されることができる。すなわち、ＬＣＤディスプレイの場合、スケーリングされたピクセル輝度が減少されたバックライティング輝度と共に使用される。スケーリングされた値は、（ｍａｘ_ｐｉｘｅｌ_ｖａｌｕｅ／２５５）＊１００％の比でセッティングされることができる。すなわち、スケーリングされたバックライティング輝度ｂｎｅｗは、次式のようである。
【００４１】
【数３】
2015520865.tif 000011
【００４２】
ここで、ｂはオリジナルバックライティング輝度であり、スケーリングされた供給電圧は、次式のようである。
【００４３】
【数４】
2015520865.tif 000012
【００４４】
ここで、Ｖは元来の供給電圧である。上記ではバックライト輝度及び供給電圧の線形スケーリングが前提されるが、実際具現例ではそのようなスケーリングは非線形でもある。線形又は非線形調整のいずれも多様なレベルのバックライト輝度や供給電圧のディスプレイ電力を測定することによって生成され得るルックアップテーブルを通じて具現され得る。
【００４５】
エネルギーの追加減少のために、一部ピクセル歪み（すなわち、スケーリング後に飽和される）は許可するが、ビューアーに対するどんな認知的差異もないように最大ピクセル値がさらに変更されることがある。元来のｍａｘ_ｐｉｘｅｌ_ｖａｌｕｅを使用する代わりに、人の認知的視覚体系（ＨＶＳ）が所定のピクセル歪みを耐えることができるという事実が活用される。新たなｍａｘ_ｐｉｘｅｌ_ｖａｌｕｅであるｍａｘ_ｐｉｘｅｌ_ｖａｌｕｅ_ｎｅｗがセッティングされる：
【００４６】
【数５】
2015520865.tif 000013
【００４７】
λは、認知的無損失基準値を示す。例として経験的分析はλ＝０.９５がいかなる認知的損失ももたらさないということを証明している。すなわち、ｍａｘ_ｐｉｘｅｌ_ｖａｌｕｅに近接したピクセルの５％が８ビットビデオに対して２５５（最大の可能なピクセル輝度）までスケーリングされるか又は飽和される。図３Ｃは、新たな最大ピクセル値ｍａｘ_ｐｉｘｅｌ_ｖａｌｕｅ_ｎｅｗを用いた調整を示す。そのような認知的無損失スケーリングを通じて、一般的に毎日見る大量の現実的ビデオを使用して証明されたようにビデオディスプレイにおいてさらに多くの電力低減がなされることができる。
【００４８】
ＣＯＮＴＲＡＳＴ_ＰＲＥＳＥＲＶＥＤモードでスケーリングする時の調整のために、ｍａｘ_ｐｉｘｅｌ_ｖａｌｕｅと共にパラメータｍｉｎ_ｐｉｘｅｌ_ｖａｌｕｅが同様に使用されることができる。最大及び最小ピクセル輝度間の範囲がコントラストを維持するために調整され得る。同様に、ＣＯＮＴＲＡＳＴ_ＰＲＥＳＥＲＶＥＤモードのスケーリングをする時、調整のためにｍａｘ_ｐｉｘｅｌ_ｖａｌｕｅとともにパラメータｍｉｎ_ｐｉｘｅｌ_ｖａｌｕｅ及びｐｉｘｅｌ_ｈｉｓｔ_ｓｔｅｐｓｉｚｅが使用されることができる。最大及び最小ピクセル輝度間の範囲及びピクセル輝度の分布すべてが調整され得る。
【００４９】
図４は、本発明の一実施形態による動的コンテンツベースの認知的無損失飽和ディスプレイ調整及び該当電力低減を例示した複数のディスプレイフレームである。図４の左側上位フレームディスプレイは、ピクセル輝度やバックライティング輝度／供給電圧に対するいずれのディスプレイ調整もないフレームバッファＲＧＢ値を例示し、右側上位フレームディスプレイは、１００％バックライティング輝度／供給電圧での該当ディスプレイを例示する。図４の左側下位フレームディスプレイは、ピクセル輝度に対する認知的無損失飽和ディスプレイ調整はあるが、バックライティング輝度／供給電圧に対するいずれの調整もないフレームバッファＲＧＢ値を例示し、右側下位フレームディスプレイは５０％バックライティング輝度／供給電圧での該当ディスプレイを例示する。例示されたように、バックライティング輝度や供給電圧の変更に基づく電力消費の相当な純減少にもかかわらず、上位右側及び下位右側フレームディスプレイは認知的に同一である。
【００５０】
図５Ａ乃至図５Ｄは、本発明の一実施形態による動的、コンテンツベースディスプレイ調整及び対応する電力低減のためのビデオデータビットストリーム内の拡張されたＮＡＬＵヘッダーやＳＥＩメッセージ挿入を示す。図５Ａは、フレームベース拡張されたＮＡＬＵヘッダー挿入を例示し、図５Ｂは、ＧＯＰベース拡張されたＮＡＬＵヘッダー挿入を例示する。類似の挿入方式がシーンベース又は時間インターバルベースの拡張されたＮＡＬＵヘッダー挿入のために使用されることができる。図５Ｃは、フレームベースＳＥＩメッセージ挿入を例示し、図５Ｄは、ＧＯＰベースＳＥＩメッセージ挿入を例示する。類似の挿入方式がシーンベース又は時間インターバルベースのＳＥＩメッセージ挿入のために使用されることができる。
【００５１】
赤（Ｒ）、緑（Ｇ）及び青（Ｂ）カラーチャンネルそれぞれの個別バックライティングをするＬＣＤディスプレイにおいて、上述したようなピクセル輝度スケーリング及びバックライティング輝度減少が個別ＲＧＢカラーそれぞれのピクセル及びバックライティング輝度に対して各々具現され得る。ＯＬＥＤディスプレイ内の赤緑青ＬＥＤに対して個別供給電圧が使用される程度で、上述したようなピクセル輝度スケーリング及び供給電圧減少がそれぞれのＲＧＢカラーに対して個別的に具現され得る。そのような方式で多様なカラー構成要素が個別的に調整されることができる。
【００５２】
図６は、本発明の一実施形態による動的コンテンツベース認知的無損失飽和ディスプレイ調整及び対応する電力低減のために拡張されたＮＡＬＵヘッダーやＳＥＩメッセージ挿入を用いてビデオをエンコーディングするプロセスのハイレベルフロー図である。このプロセスは、エンコーダ１０１内でエンコーダ制御器によって実行される。ディスプレイ調整をサポートしない装置は、拡張されたＮＡＬＵヘッダーやＳＥＩメッセージ内に内蔵されたディスプレイ調整情報を簡単に無視することができるために、ディスプレイ調整をサポートする装置への伝送が意図されるか否かと関係なく、ビデオエンコーディングのために同一のプロセスが使用されることができる。プロセス６００は、エンコーディングされるビデオのフレーム、ＧＯＰ、シーン又は時間インターバルセグメントのピクセルデータを受信することから開始される（ステップ６０１）。
【００５３】
少なくともｍａｘ_ｐｉｘｅｌ_ｖａｌｕｅ及びオプションとしてｍｉｎ_ｐｉｘｅｌ_ｖａｌｕｅ及びｐｉｘｅｌ_ｈｉｓｔ_ｓｔｅｐｓｉｚｅの決定を含み、処理中であるセグメントのビデオデータのピクセル輝度のヒストグラムが決定される（ステップ６０２）。処理中であるビデオデータのセグメントに対して、スケーリング方法及び適切なパラメータが含まれる拡張されたＮＡＬＵヘッダーやＳＥＩメッセージが生成される（ステップ６０３）。認知的無損失飽和ディスプレイ調整のために、人の認知的視覚体系に対するディスプレイを低下させないヒストグラム内の実際ｍａｘ_ｐｉｘｅｌ_ｖａｌｕｅに近接する値を有するピクセルの一部を飽和させるようにｍａｘ_ｐｉｘｅｌ_ｖａｌｕｅがセッティングされる。拡張されたＮＡＬＵヘッダー又はＳＥＩメッセージがこのとき、該当セグメントデータと関連したペイロードストリーム内に挿入されて、エンコーディングされたビデオデータが伝送される（ステップ６０４）。ビデオエンコーディングが不完全であると（ステップ６０５）、エンコーディングされているビデオの次のフレーム、ＧＯＰ、シーン又は時間インターバルセグメントに対するピクセルデータに対して該当プロセスのさらに他の反復が実行される。
【００５４】
図７は、本発明の一実施形態による動的コンテンツベース認知的無損失飽和ディスプレイ調整及び対応する電力低減のために挿入される拡張されたＮＡＬＵヘッダーに基づくビデオデコーディング及びディスプレイのプロセスのハイレベルフロー図である。上記プロセスは、ユーザデバイス１０５により実行される。プロセス７００は、デコーディングされるビデオのフレーム、ＧＯＰ、シーン又は時間インターバルセグメントに対して拡張されたＮＡＬＵヘッダー及び関連ペイロードを受信することから開始される（ステップ７０１）。拡張されたＮＡＬＵヘッダーからスケーリング方法及びパラメータ（ら）が抽出され（ステップ７０２）、そのスケーリング方法及びパラメータ（ら）に基づいてピクセル輝度及び供給電圧が（ＯＬＥＤディスプレイのために）調整されるか、ピクセル及びバックライティング輝度が（ＬＣＤディスプレイのために）調整される（ステップ７０３）。認知的無損失飽和ディスプレイ調整のために、ピクセルの一部に対するピクセル輝度が飽和されることができる。該当フレーム、ＧＯＰ、シーン又は時間インターバルセグメントのペイロードからデコーディングされたビデオコンテンツが調整されたディスプレイ設定を通じてディスプレイされる（ステップ７０４）。ビデオデコーディングが不完全すると（ステップ７０５）、デコーディングされているビデオの次のフレーム、ＧＯＰ、シーン又は時間インターバルセグメントに対して該当プロセスのさらに他の反復が実行される。
【００５５】
認知的無損失アルゴリズムに基づく拡張されたＮＡＬユニットヘッダーメッセージを用いるディスプレイ調整が上記開示事項で例として説明される。そのようなアルゴリズムは、認知的無損失に基づいてセッティングされ内蔵された情報中に特定される最大ピクセル値を必要とする。しかしながら、開示された原理がそのような具現例に限定されるものではない。他の実施形態では、最小及び最大ピクセル輝度値の両方又はヒストグラム分布のように、ディスプレイ調整を助けるためにビデオエンコーダから導出された所定の情報が拡張されたＮＡＬＵヘッダーやＳＥＩメッセージの一部として内蔵され得る。
【００５６】
本発明は、データコストを減らしながらもより電力効率的であるので、モバイルストリーミングアプリケーションに対するユーザ経験を向上させることができるスマートフォン及びタブレットのような製品を作ることができる。
【００５７】
図面に図示され、上述したそれぞれのプロセスフロー及び／又は信号シーケンスは、直列又は一列でなられたステップ及び／又は信号のシーケンスを記述するが、明示的に言及されないか、自明でなければ（たとえば、信号が伝送前に受信されることができない）、そのようなシーケンスから実行の特定順序、ステップや部分の実行又はその信号の伝送が同時発生的であるか、重複する順序でない順次的であるか、介在又は中間ステップや信号の発生無しに図示されたステップの実行や信号の伝送が全的であるという推定が導出されてはならない。その上、当業者は完全なプロセス及び信号シーケンスが例示されるか記述されないということが分かる。その代わりに、単純性及び明瞭性のために、本発明に固有であるか本発明の理解に必要な程度の個別プロセス及び信号シーケンスだけが図示及び記述される。
【００５８】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００５９】
１００  ネットワーク
１０１  コンテンツエンコーダ
１０２  コンテンツサーバ
１０３  インターネット
１０４  基地局
１０５  ユーザ装置
１０６  ディスプレイ
１０７  プロセッサ
１０８  メモリ
１０９  ビデオ再生アプリケーション
１１０  送受信器
１１１  アンテナ
１１２  ディスプレイコントロール
２００  データビットストリーム
２０１、２０２  ＮＡＬＵ
２０３  ＮＡＬＵヘッダー
２０４  ペイロード
【図１Ａ】
2015520865.tif 000014
【図１Ｂ】
2015520865.tif 000015
【図１Ｃ】
2015520865.tif 000016
【図２】
2015520865.tif 000017
【図３Ａ】
2015520865.tif 000018
【図３Ｂ】
2015520865.tif 000019
【図３Ｃ】
2015520865.tif 000020
【図４】
2015520865.tif 000021
【図５Ａ】
2015520865.tif 000022
【図５Ｂ】
2015520865.tif 000023
【図５Ｃ】
2015520865.tif 000024
【図５Ｄ】
2015520865.tif 000025
【図６】
2015520865.tif 000026
【図７】
2015520865.tif 000027
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
ビデオセグメントのデータを受信するステップと、前記受信されたデータは、認知的損失なしにディスプレイピクセルの一部を飽和させながらディスプレイの明るさ及び電力消費に影響を及ぼす１つ以上のディスプレイパラメータを調整するためのディスプレイ調整情報を含み、
拡張されたヘッダーからの前記ディスプレイ調整情報に基づいてディスプレイのための少なくとも１つのディスプレイパラメータを調整するステップと、を含むこと
を特徴とする方法。
【請求項２】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項１に記載の方法。
【請求項３】
バックライティングされる液晶ディスプレイ（ＬＣＤ）上での前記ビデオセグメントのディスプレイの間に、前記ディスプレイ調整情報から前記最大ピクセル輝度値に基づいてピクセルのピクセル輝度及びバックライティング輝度をスケーリングするステップをさらに含むことを特徴とする請求項２に記載の方法。
【請求項４】
前記バックライティングされたＬＣＤ上での前記ビデオセグメントのディスプレイの間に、前記ディスプレイ調整情報から前記最大ピクセル輝度値及び最小ピクセル輝度値に基づいて前記ピクセル輝度及びバックライティング輝度をスケーリングするステップをさらに含むことを特徴とする請求項３に記載の方法。
【請求項５】
前記ＬＣＤ上での前記ビデオセグメントのディスプレイの間に、前記ディスプレイ調整情報から前記最大ピクセル輝度値、前記最小ピクセル輝度値、及びピクセルヒストグラムステップサイズ値に基づいて前記ピクセル輝度及びバックライティング輝度をスケーリングするステップをさらに含むことを特徴とする請求項４に記載の方法。
【請求項６】
有機発光ダイオード（ＯＬＥＤ）ディスプレイ上での前記ビデオセグメントのディスプレイの間に、前記ディスプレイ調整情報から前記最大ピクセル輝度値に基づいてピクセルのピクセル輝度及び供給電圧をスケーリングするステップをさらに含むことを特徴とする請求項２に記載の方法。
【請求項７】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項１に記載の方法。
【請求項８】
ビデオセグメントのデータを受信するように構成された受信器と、前記受信されたデータは、認知的損失なしにディスプレイピクセルの一部を飽和させながらディスプレイの明るさ及び電力消費に影響を及ぼす１つ以上のディスプレイパラメータを調整するためのディスプレイ調整情報を含み、
拡張されたヘッダーからの前記ディスプレイ調整情報に基づいてディスプレイのための少なくとも１つのディスプレイパラメータを調整するように構成されたプロセッサと、を含むこと
を特徴とするシステム。
【請求項９】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項８に記載のシステム。
【請求項１０】
前記プロセッサは、
バックライティングされる液晶ディスプレイ（ＬＣＤ）上での前記ビデオセグメントのディスプレイの間に、前記ディスプレイ調整情報から前記最大ピクセル輝度値に基づいてピクセルのピクセル輝度及びバックライティング輝度をスケーリングするように構成されること
を特徴とする請求項９に記載のシステム。
【請求項１１】
前記プロセッサは、
前記バックライティングされたＬＣＤ上での前記ビデオセグメントのディスプレイの間に、前記ディスプレイ調整情報から前記最大ピクセル輝度値及び最小ピクセル輝度値に基づいて前記ピクセル輝度及びバックライティング輝度をスケーリングするように構成されること
を特徴とする請求項１０に記載のシステム。
【請求項１２】
前記プロセッサは、
前記バックライティングされたＬＣＤ上での前記ビデオセグメントのディスプレイの間に、前記ディスプレイ調整情報から前記最大ピクセル輝度値、前記最小ピクセル輝度値、及びピクセルヒストグラムステップサイズ値に基づいて前記ピクセル輝度及びバックライティング輝度をスケーリングするように構成されること
を特徴とする請求項１１に記載のシステム。
【請求項１３】
前記プロセッサは、
有機発光ダイオード（ＯＬＥＤ）ディスプレイ上での前記ビデオセグメントのディスプレイの間に、前記ディスプレイ調整情報から前記最大ピクセル輝度値に基づいてピクセルのピクセル輝度及び供給電圧をスケーリングするように構成されること
を特徴とする請求項９に記載のシステム。
【請求項１４】
請求項８に記載のシステムを含むモバイル通信装置であって、
前記システムは、基地局から無線通信を通じて前記ビデオセグメントのデータを受信するように構成されること
を特徴とするモバイル通信装置。
【請求項１５】
請求項８に記載のシステムを含むタブレットであって、
前記システムは、ネットワークから無線通信を通じて前記ビデオセグメントのデータを受信するように構成されること
を特徴とするタブレット。
【請求項１６】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項８に記載のシステム。
【請求項１７】
伝送するビデオセグメントのデータをフォーマットするステップを含み、前記フォーマットされたデータは、
認知的損失なしにディスプレイピクセルの一部を飽和させながらディスプレイの輝度及び電力消費に影響を及ぼす１つ以上のディスプレイパラメータを調整するためのディスプレイ調整情報、及び
前記ビデオセグメントをディスプレイするためのデータを含む１つ以上のペイロードユニットを含むこと
を特徴とする方法。
【請求項１８】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項１７に記載の方法。
【請求項１９】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項１７に記載の方法。
【請求項２０】
伝送するビデオセグメントのデータをフォーマットするように構成されたビデオサーバを含み、前記フォーマットされたデータは、
認知的損失なしにディスプレイピクセルの一部を飽和させながらディスプレイの明るさ及び電力消費に影響を及ぼす１つ以上のディスプレイパラメータを調整するためのディスプレイ調整情報、及び
前記ビデオセグメントをディスプレイするためのデータを含む１つ以上のペイロードユニットを含むこと
を特徴とするシステム。
【請求項２１】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項２０に記載のシステム。
【請求項２２】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項２０に記載のシステム。
【請求項２３】
伝送するビデオセグメントのデータを受信するステップと、前記データは、認知的損失なしにディスプレイピクセルの一部を飽和させながらディスプレイの明るさ及び電力消費に影響を及ぼす１つ以上のディスプレイパラメータを調整するためのディスプレイ調整情報、及び前記ビデオセグメントをディスプレイするためのデータを含む１つ以上のペイロードユニットを含み、
前記ビデオセグメントがディスプレイされるべき装置に前記データを伝送するステップと
を含むことを特徴とする方法。
【請求項２４】
前記ディスプレイ調整情報は、
認知的損失なしにディスプレイピクセルの一部に対する飽和に対応する最大ピクセル輝度値、最小ピクセル輝度値及びピクセル輝度ヒストグラムステップサイズ値のうち１つ以上を含むこと
を特徴とする請求項２３に記載の方法。
【請求項２５】
前記ディスプレイ調整情報は、
明るさを維持するスケーリング方法、コントラストを維持するスケーリング方法、及び認知的無損失スケーリング方法から選択されたスケーリング方法を示す識別子を含むこと
を特徴とする請求項２３に記載の方法。
【国際調査報告】
2015520865.tif 000028
2015520865.tif 000029
2015520865.tif 000030